(57)【特許請求の範囲】
【請求項１】
一枚の紙製ブランクを折り曲げ罫線を介して、紙表面が外面となるように順次折り曲げて、方形底板、周壁を構成する側面板および蓋板から構成される試供品収納紙製容器であって、
前記試供品収納紙製容器の頂部天面板に連結する蓋板側に配設されるパネル板と、その蓋板と対向する天面板に連結する複数枚の横一連に配設されるパネル板が容器本体頂部天面上に交互に折り畳まれて、そのパネル板に蓋板が当接して収納され、前記パネル板の内外面には商品の広告・宣伝や使用方法などの説明を印刷表示できる十分なスペースを有し、かつ、容器本体内部に形成される空間からなる試供品収納部を有することを特徴とする試供品収納紙製容器。
【請求項２】
前記試供品収納部が、容器本体内部に中仕切り板が内蔵されて形成される空間からなることを特徴とする特徴とする請求項１記載の試供品収納紙製容器。
【請求項３】
前記試供品収納紙製容器を構成する紙製ブランクが、方形底板に折り曲げ罫線を介して連接する側面板が方形底板のそれぞれ対向する位置に配設され、その方形底板と側面板を連接する折り曲げ罫線に係る切り込み線を設け、その切り込み線に連通する半円状の切り欠き部を方形底板の所定の位置に備えており、前記側面板にはそれぞれ折り曲げ罫線を介して側面板用の内フラップを備え、方形底板の一対の対向する位置に折り曲げ罫線を介して差し込み片と、方形底板のもう一つの対向する位置の一方の側面板には折り曲げ罫線を介して台形形状の接着片が連接され、その接着片と反対側の対向する側面板には折り曲げ罫線を介して容器頂部となる天面板が連接されており、その天面板には容器内側に折り込む一対の矩形形状の折り込み片が設けられ、さらに、天面板縁端に、前記折り曲げ線に係る切り込み線に連通する半円状の切り欠き部に差し込み係止する舌片に切り込み線を設けて有する折り込み片を備えた蓋板が折り曲げ罫線を介して連接してしてなるパネル板と、そのパネル板と対向する天面板縁端に折り曲げ罫線を介して交互に折り畳み可能な複数枚のパネル板が横一連に連接して配設されていることを特徴とする請求項１または２記載の試供品収納紙製容器。
【請求項４】
前記試供品収納紙製容器に内蔵する中仕切り板を構成する紙製ブランクが、底板両側端に折り曲げ罫線を介して台形状の側面板とその側面板に折り曲げ罫線を介して延設された矩形形状の延設板が配設されていることを特徴とする請求項２記載の試供品収納紙製容器。
【請求項５】
前記試供品収納紙製容器を構成する紙製ブランクを用いて、折り曲げ罫線を介して、紙表面が外面となるように順次折り曲げて、天面板に連接するパネル板と、そのパネル板に連接する蓋板とをパネル板に接着剤が塗布されたその接着剤塗布面に、折り曲げ罫線を介して前記蓋板を貼り合わせ後、側面板に折り曲げ罫線を介して連接する台形形状の接着片の紙表面側に接着剤が塗布されたその接着剤塗布面に折り曲げ罫線を介して折り返されて容器頂部天面板を貼り合わせ、前記収納紙製容器の頂部天面板に連結する蓋板側に配設されるパネル板と、その蓋板側とは反対側の対向する天面板に連結する複数枚の横一連に配設されるパネル板が容器本体頂部天面上に交互に折り畳まれて、そのパネル板に蓋板が当接して収納され、前記パネル板の内外面には商品の広告や説明を記載できるスペースを有する両端が開口した筒状容器本体に、前記試供品収納紙製容器に内蔵する中仕切り板を用いて、内面が紙表面となるように順次折り曲げて、中仕切り板の底板の両側に起立した側面板の上両端に外折り曲げられてた矩形形状の延設片を備えた凹状の中仕切り板を、その凹状の中仕切り板の起立した両側面板に、前記容器本体の頂部天面板に備えた一対の折り込み片が内折り曲げられ、その折り込み片の両縁端が前記中仕切り板の起立した両側面板に内接するように、また、前記中仕切り板の矩形形状の延設片が容器頂部天面板の内面に
当接するように挿入・内蔵されて形成される容器本体内部に頂部が開口する四角錐状の空間からなる試供品収納部を有することを特徴とする請求項２〜４のいずれか１項に記載の試供品収納紙製容器。
【発明の詳細な説明】
【技術分野】
【０００１】
本発明は、化粧品などの試供品を収納する試供品収納紙製容器に係わり、さらに詳細には、試供品収納紙製容器には、容器本体内部に中仕切り板が内蔵されて形成される空間からなる試供品収納部と、商品の広告・宣伝や使用方法などの説明を印刷表示できる十分なスペースを有するパネル部が容器に連結されて有し、容器の封減時においてはコンパクトで、容器の開封時においてはパネル部が展開して広い面積の印刷表示を可能とする、取り扱いと外観美粧性などにに優れる試供品収納紙製容器に関する。
【背景技術】
【０００２】
従来、化粧品、医薬部外品、食品等の新製品の宣伝は種々のメディアを通して行われるが、一部には試供品をエンドユーザーに直接手渡しあるいは配送して、実際の使用体験をとおして商品特性を訴求し、印象付けを行い、実際の購買に結び付ける方法が採られている。試供品として配付される新製品サンプルは最小単位のパッケージによって包装されている。例えば、化粧水等の化粧品ではバイアル瓶のような小型容器に詰められたものが、宣伝印刷物と一緒に配付されている。さらに、香水、オードトワレ等では芳香を微小なカプセルに封入してインキ化し、このインキを印刷物の所定の部分に印刷しておき、この部分を爪等で擦ってこのカプセルを破壊し、発散する芳香を体験させる方法も利用されている。
【０００３】
しかるに、従来使用されている試供品は、板チョコレート、板状のガムのようなものであれば、比較的印刷物への添付は容易であるが、前記のような小型ガラス瓶のような形状となると、宣伝印刷物と一体化することが難しくなり、別に用意したカートン、プラスチック袋等の包装体によって一緒に包装しなければならず、包装コストが上昇し、外観やイメージ的にも優れた効果が期待できないという問題がある。またエンドユーザーよる使い勝手が良くないという問題がある。
【０００４】
以下に特許文献を記す。
【特許文献１】特開２００２−１６６９２６号公報
【発明の開示】
【発明が解決しようとする課題】
【０００５】
本発明は、上記の問題点に鑑みてなされたもので化粧品などの試供品を収納して物理的に保護することができ、商品の広告・宣伝や使用方法などの説明を印刷表示できる十分なスペースを有することが可能な、取扱が便利で、外観美粧性に優れる試供品収納紙製容器を提供することを目的とする。
【課題を解決するための手段】
【０００６】
上記の目的を達成するために、すなわち、
請求項１に係る発明は、
一枚の紙製ブランクを折り曲げ罫線を介して、紙表面が外面となるように順次折り曲げて、方形底板、周壁を構成する側面板および蓋板から構成される試供品収納紙製容器であって、
前記試供品収納紙製容器の頂部天面板に連結する蓋板側に配設されるパネル板と、その蓋板と対向する天面板に連結する複数枚の横一連に配設されるパネル板が容器本体頂部天面上に交互に折り畳まれて、そのパネル板に蓋板が当接して収納され、前記パネル板の内外面には商品の広告・宣伝や使用方法などの説明を印刷表示できる十分なスペースを有し、かつ、容器本体内部に形成される空間からなる試供品収納部を有することを特徴とする
試供品収納紙製容器である。
【０００７】
請求項２に係る発明は、
前記試供品収納部が、容器本体内部に中仕切り板が内蔵されて形成される空間からなることを特徴とする請求項１記載の試供品収納紙製容器。
【０００８】
請求項３に係る発明は、
前記試供品収納紙製容器を構成する紙製ブランクが、方形底板に折り曲げ罫線を介して連接する側面板が方形底板のそれぞれ対向する位置に配設され、その方形底板と側面板を連接する折り曲げ罫線に係る切り込み線を設け、その切り込み線に連通する半円状の切り欠き部を方形底板の所定の位置に備えており、前記側面板にはそれぞれ折り曲げ罫線を介して側面板用の内フラップを備え、方形底板の一対の対向する位置に折り曲げ罫線を介して差し込み片と、方形底板のもう一つの対向する位置の一方の側面板には折り曲げ罫線を介して台形形状の接着片が連接され、その接着片と反対側の対向する側面板には折り曲げ罫線を介して容器頂部となる天面板が連接されており、その天面板には容器内側に折り込む一対の矩形形状の折り込み片が設けられ、さらに、天面板縁端に、前記折り曲げ線に係る切り込み線に連通する半円状の切り欠き部に差し込み係止する舌片に切り込み線を設けて有する折り込み片を備えた蓋板が折り曲げ罫線を介して連接してしてなるパネル板と、そのパネル板と対向する天面板縁端に折り曲げ罫線を介して交互に折り畳み可能な複数枚のパネル板が横一連に連接して配設されていることを特徴とする請求項１または２記載の試供品収納紙製容器である。
【０００９】
請求項４に係る発明は、
前記試供品収納紙製容器に内蔵する中仕切り板を構成する紙製ブランクが、底板両側端に折り曲げ罫線を介して台形状の側面板とその側面板に折り曲げ罫線を介して延設された矩形形状の延設板が配設されていることを特徴とする請求項２記載の試供品収納紙製容器である。
【００１０】
請求項５に係る発明は、
前記試供品収納紙製容器を構成する紙製ブランクを用いて、折り曲げ罫線を介して、紙表面が外面となるように順次折り曲げて、天面板に連接するパネル板と、そのパネル板に連接する蓋板９とをパネル板に接着剤が塗布されたその接着剤塗布面に、折り曲げ罫線を介して前記蓋板を貼り合わせ後、側面板に折り曲げ罫線を介して連接する台形形状の接着片の紙表面側に接着剤が塗布されたその接着剤塗布面に折り曲げ罫線を介して折り返されて容器頂部天面板を貼り合わせ、前記収納紙製容器の頂部天面板に連結する蓋板側に配設されるパネル板と、その蓋板側とは反対側の対向する天面板に連結する複数枚の横一連に配設されるパネル板が容器本体頂部天面上に交互に折り畳まれて、そのパネル板に蓋板が当接して収納され、前記パネル板の内外面には商品の広告や説明を記載できるスペースを有する、両端が開口した筒状容器本体に、前記試供品収納紙製容器に内蔵する中仕切り板を用いて、内面が紙表面となるように順次折り曲げて、中仕切り板の底板の両側に起立した側面板の上両端に外折り曲げられてた矩形形状の延設片を備えた凹状の中仕切り板を、その凹状の中仕切り板の起立した両側面板に、前記容器本体の頂部天面板に備えた一対の折り込み片が内折り曲げられ、その折り込み片の両縁端が前記中仕切り板の起立した両側面板に内接するように、また、前記中仕切り板の矩形形状の延設片が容器頂部天面板の内面に当接するように挿入・内蔵されて形成される容器本体内部に頂部が開口する四角錐状の空間からなる試供品収納部を有することを特徴とする請求項２〜４のいずれか１項に記載の試供品収納紙製容器である。
【発明の効果】
【００１１】
本発明によれば、容器本体内部に中仕切り板が内蔵されて形成される空間からなる試供
品収納部と、商品の広告・宣伝や使用方法などの説明を印刷表示できる十分なスペースを有するパネル部が容器に連結されて有する構造からなり、容器の封減時においてはコンパクトで、容器の開封時においてはパネル部が展開して広い面積の印刷表示を可能とし、試供品の保護性、取り扱い性、外観美粧性、造形性、アイキャッチ効果の点に優れる試供品収納紙製容器が得られる。
【００１２】
さらに、１００％紙製品からなる試供品収納紙製容器であることから、使用後の廃棄性に優れ、環境負荷を少なくする効果を奏するものである。
【発明を実施するための最良の形態】
【００１３】
以下、本発明の一実施例としての実施形態について図面を参照して説明する。本発明の試供品収納紙製容器として、一枚の紙製ブランクを折り曲げ罫線を介して、紙表面が外面となるように順次折り曲げて、方形底板、周壁を構成する側面板および蓋板から構成される試供品収納紙製容器であって、前記収納紙製容器の頂部天面板に連結する蓋板側に配設されるパネル板と、その蓋板と対向する天面板に連結する複数枚の横一連に配設されるパネル板が容器本体頂部天面上に交互に折り畳まれて、そのパネル板に蓋板が当接して収納され、前記パネル板の内外面には商品の広告や説明を記載できるスペースを有し、かつ、容器本体内部に中仕切り板が内蔵されて形成される空間からなる試供品収納部を有する試供品収納紙製容器を例示して以下に説明する。なお、本発明の試供品収納紙製容器において、中仕切り板を必ずしも内蔵する必要がなく、容器本体内部に形成される空間を試供品収納部とすることもできる。
【００１４】
図１は、本発明の一実施例としての試供品収納紙製容器と容器本体に内蔵する中仕切り板を構成する紙製ブランク展開図である。まず、この試供品収納紙製容器ブランクＡは、同図（ａ）で示すように、方形底板１に折り曲げ罫線を介して連接する側面板２が方形底板１のそれぞれ対向する位置に配設され、その方形底板１と側面板２を連接する折り曲げ罫線に係る切り込み線１ｂを設け、その切り込み線１ｂに連通する半円状の切り欠き部１ａを方形底板１の所定の位置に備えており、前記側面板２にはそれぞれ折り曲げ罫線を介して側面板用の内フラップ３を備え、方形底板１の一対の対向する位置に折り曲げ罫線を介して差し込み片４と、方形底板１のもう一つの対向する位置の一方の側面板２には折り曲げ罫線を介して台形形状の接着片５が連接され、その接着片５と反対側の対向する側面板２には折り曲げ罫線を介して容器頂部となる天面板６が連接されており、その天面板６には容器内側に折り込む一対の矩形形状の折り込み片６ａが設けられ、さらに、天面板６縁端に、前記折り曲げ線に係る切り込み線１ｂに連通する半円状の切り欠き部１ａに差し込み係止する舌片９ａに切り込み線９ｂを設けて有する折り込み片９を備えた蓋板８が折り曲げ罫線を介して連接してしてなるパネル板７と、そのパネル板７と対向する天面板６縁端に折り曲げ罫線を介して交互に折り畳み可能な複数枚のパネル板７が横一連に連接して配設されている
一方、同図（ｂ）で示すように、容器本体内部に内蔵する中仕切り板を構成する紙製ブランクＢが、両縁端に半円形状の切り欠き部２０ａを備えた底板２０両側端に折り曲げ罫線を介して台形状の側面板２１とその側面板２１に折り曲げ罫線を介して延設された矩形形状の延設板２２が配設されている。
【００１５】
本発明の収納紙製容器本体の組立方法は、上記の収納紙製容器用紙製ブランクＡを用いて、通常の製函機を用いて組み立てられる。折り曲げ罫線を介して、紙表面が外面となるように順次折り曲げて、天面板６に連接するパネル板７と、そのパネル板７に連接する蓋板９とをパネル板７に接着剤が塗布されたその接着剤塗布面に、折り曲げ罫線を介して前記蓋板８を貼り合わせ後、側面板２に折り曲げ罫線を介して連接する台形形状の接着片５の紙表面側に接着剤が塗布されたその接着剤塗布面に折り曲げ罫線を介して折り返されて容器頂部天面板６を貼り合わせ、前記収納紙製容器の頂部天面板６に連結する蓋板８側に
配設されるパネル板７と、その蓋板８側とは反対側の対向する天面板６に連結する複数枚の横一連に配設されるパネル板７が容器本体頂部天面１上に交互に折り畳まれて、そのパネル板７に蓋板８が当接して収納され、前記パネル板７の内外面には商品の広告・宣伝や使用方法などの説明を印刷表示できる十分なスペースを有する、両端が開口した筒状容器本体に、前記試供品収納紙製容器に内蔵する中仕切り板Ｂを用いて、図２で示すように、内面が紙表面となるように順次折り曲げて、中仕切り板Ｂの底板２０の両側に起立した側面板２１の上両端に外折り曲げられてた矩形形状の延設片２２を備えた凹状の中仕切り板を、図３で示すように、その凹状の中仕切り板の起立した両側面板２１に、前記容器本体の頂部天面板６に備えた一対の折り込み片６ａが内折り曲げられ、その折り込み片６ａの両縁端が前記中仕切り板Ｂの起立した両側面板に２１内接するように、また、前記中仕切り板Ｂの矩形形状の延設片２２が容器頂部天面板６の内面に当接するように挿入・内蔵されて形成される容器本体内部に頂部が開口する四角錐状の空間Ｅからなる試供品収納部が形成される。
【００１６】
引き続き、順次折り曲げ罫線を介して、筒状容器本体の開口部の側面板２用の内フラップ３、側面板２、差し込み板４が折り曲げられて差し込まれ、容器本体が形成される。そして、上記の容器本体内部に形成された頂部が開口する四角錐状の空間からなる試供品収納部に、化粧品などの試供品を収納し、容器頂部天面板６に横一連に連接して配設されている複数枚（２枚の）パネル板７が折り曲げ罫線を介して交互に折り畳まれて、容器本体頂部天面板６上に折り込まれて、そのパネル板７に内面に一枚のパネル板７が貼り合わせてなる蓋板８が当接して収納され、蓋板８に備えた折り込み片１０を折り曲げ、その折り込み片１０に連接する舌片１０ａを容器本体に設けた切り込み線１ｂに連通する半円状の切り欠き部１ａに差し込み係止して本発明の試供品収納紙製容器を得ることができる。
【００１７】
上記で得られる本発明の試供品収納紙製容器の一例を示した模式斜視図を図４に示す。同図（ａ）は、その封減状態の外観を示す模式斜視図であり、同図（ｂ）は、その開封状態の外観を示す模式斜視図である。本発明の試供品収納紙製容器は、容器の一つの天面板６に連結するパネル板７に折り返され、貼り合わされてなる蓋板８と、その蓋板８と対向する天面板６に連結する複数枚の横一連に配設されるパネル板７が容器本体頂部天面板６上に交互の折り畳まれて、そのパネル板７に蓋板８が当接して収納され、容器本体内部に中仕切り板が内蔵されて形成される空間Ｅからなる試供品収納部を有する。封減状態の本発明の試供品収納紙製容器はコンパクトであるが、開封状態では、パネル板が展開し、パネル板の内外面に商品の公告・宣伝や使用方法などを説明する文字、絵柄、記号などからなる広い面積の印刷表示を可能とするものである。また、本発明の試供品収納紙製容器は、試供品の保護性、取り扱い性、外観美粧性、造形性、アイキャッチ効果の点に優れる試供品収納紙製容器が得られる。さらに、１００％紙製品からなる試供品収納紙製容器であることから、使用後の廃棄性に優れ、環境負荷を少なくする効果を奏するものである。
【００１８】
以上で説明したように、本発明の試供品収納紙製容器は一枚のブランクを折り畳んで出来上がるもので、ブランク基材には板紙が使用されるが、印刷物としての印刷適性と同時に試供品収納部を構成する包装材料としての特性が要求される。板紙には広範囲のものが使用されるが、ガラス瓶等を使用した試供品を収納し、保護する場合には、剛度があり、引っ張り強度、引き裂き強度等の面で優れたアイボリー系、カード系、特板系、等の板紙が好適に使用される。また、板紙の坪量は試供品の大きさによって変わるが、一般に２００〜３５０ｇ／ｍ2の範囲が好ましい。また、パネル板の内外面には、広告・宣伝、使用法の説明等に関した印刷が行われるが、その方法は、オフセット、グラビア、フレキソ、シルクスクリーン等の公知のいかなる印刷方法を用いてもよい。さらに、印刷部分には、オーバーコート、艶出し、エンボス等の後加工も自由に行うことができる。糊代に強接着タイプで初期接着力の高い接着剤を部分コートして使用することが好ましい。本発明による試供品収納紙製容器は糊代で貼り合わされたフラットな状態でユーザーに供給されるが
、使用個数が少ない場合は、糊代に粘着加工を施した試供品収納紙製容器を供給し、ユーザー側で糊代表面の剥離紙を取り除いて貼り合わせることもできる。
【００１９】
なお、本発明の試供品収納紙製容器は、化粧品のみならず、医薬部外品、食品などの様々の新商品などの試供品を収納して、商品の広告・宣伝、使用法などの説明等に関した印刷物を一体化し、エンドユーザーに配布・配送して、実際の使用体験をとうして商品特性を訴求し、印象付けを行い、実際の購買に結び付けることができる。
【図面の簡単な説明】
【００２０】
【図１】本発明の試供品収納紙製容器の一例を示す展開図であり、（ａ）は、容器本体の展開図である。（ｂ）は、容器本体に内蔵される中仕切り板の展開図である。
【図２】本発明の試供品収納紙製容器に内蔵される折り返されて起立した中仕切り板の一例を示す斜視模式図である。
【図３】本発明の一実施例としての試供品収納紙製容器の収納部を説明する斜視模式図である。
【図４】本発明の一実施例としての試供品収納紙製容器の斜視模式図であり、（ａ）は、試供品収納紙製容器の封緘状態の外観を示す斜視図である。（ｂ）は、試供品収納紙製容器の開封状態の外観を示す斜視図である。
【符号の説明】
【００２１】
１・・・容器底板
１ａ・・・半円形状の切り欠き部
１ｂ・・・切り込み線
２・・・容器側面板
３・・・容器側面板用内フラップ
４・・・容器側面板に備える差し込み片
５・・・接着片
６・・・容器天面板
６ａ・・・容器天面板に備える折り込み片
７・・・パネル板
８・・・容器蓋板
９・・・容器蓋板に備える折り込み片
９ａ・・・切り込み線
９ｂ・・・舌片
２０・・・中仕切板の底板
２０ａ・・・中仕切板底板に備える半円形状の切り欠き部
２１・・・中仕切板の側面板
２２・・・中仕切板の側面板に備える延設片
Ａ・・・容器を構成する紙製ブランク
Ｂ・・・中仕切板を構成する紙製ブランク
Ｃ・・・起立した中仕切板
Ｄ・・・容器本体主要部
Ｅ・・・四角錐状の空間からなる試供品収納部
Ｆ・・・試供品収納紙製容器
【図１】
0004715448.tif 000002
【図２】
0004715448.tif 000003
【図３】
0004715448.tif 000004
【図４】
0004715448.tif 000005